(57)【要約】【課題】  より自然な環境での散埋骨を希望する利用者の要望に答えること【解決手段】  平坦状に整地され、その領域４内にほぼ所定間隔毎に埋葬孔７が設けられる散埋骨領域４’と、該散埋骨領域４’内に穿設される埋葬孔７の位置を、散埋骨領域４’内に表示物を有することなく特定可能とするために、該散埋骨領域４’外に設けられた埋葬孔位置特定手段６，１０と、を備える。【選択図】  図１
2005320698.tif 000002
【特許請求の範囲】
【請求項１】
平坦状に整地され、その領域内にほぼ所定間隔毎に埋葬孔が設けられる散埋骨領域と、
該散埋骨領域内に穿設される埋葬孔の位置を、散埋骨領域内に表示物を有することなく特定可能とするために、該散埋骨領域外に設けられた埋葬孔位置特定手段と、
を備えることを特徴とする散埋骨墓園。
【請求項２】
前記埋葬孔位置特定手段が、前記散埋骨領域内にマトリクス状に穿設される埋葬孔の各列を視認可能とするように、該散埋骨領域の外周に、各埋葬孔の間隔毎に配設された可視光レーザー発振器により形成されていることを特徴とする請求項１に記載の散埋骨墓園。
【請求項３】
前記可視光レーザー発振器が、前記散埋骨領域の外周に前記各埋葬孔の間隔毎に立設された支持柱に着脱可能とされていることを特徴とする請求項１または２に記載の散埋骨墓園。
【請求項４】
前記支持柱に、該支持柱に対応する埋葬孔の位置を特定可能な識別情報の識別情報表示部を有することを特徴とする請求項３に記載の散埋骨墓園。
【請求項５】
前記各支持柱の前記散埋骨領域を挟んだ反対側の散埋骨領域外周に、当該支持柱と対向して可視光レーザー発振器からの可視光レーザー光を該可視光レーザー発振器に向けて反射するように設置された反射部を有する反射柱を有することを特徴とする請求項３または４に記載の散埋骨墓園。
【請求項６】
前記散埋骨領域の外周部の所定位置に、慰霊碑を有することを特徴とする請求項１〜５のいずれかに記載の散埋骨墓園。
【発明の詳細な説明】
【技術分野】
【０００１】
本発明は、故人の焼骨を所定領域内の散埋骨領域に形成された埋葬孔に、散骨に類似した形態にて葬祭できる散埋骨墓園に関する。
【背景技術】
【０００２】
近年、自然回帰の視点から、焼骨の葬祭方法として散骨を希望する人が増えているが、むやみに焼骨を散骨すると、不正に遺棄された遺体の骨との区別ができずに大きな問題となることから、これら散骨葬祭の要望に答えるために、これら焼骨を散骨できる領域を備えた墓園が提案されている（例えば、特許文献１参照）。
【０００３】
【特許文献１】特開２０００−１２９９６０号公報
【発明の開示】
【発明が解決しようとする課題】
【０００４】
しかしながら、特許文献１の墓園にあっては、散骨した場所を特定可能とするために、散骨した箇所に表示物を置くようにしているが、この場合では、より自然な環境での散骨を希望する利用者の要望に答えられないという問題があるとともに、これらより自然な環境となる表示物等を無くした場合には、散骨した箇所を特定できず、誤って埋葬済みの位置に、再度異なる故人の焼骨を散骨してしまう危険性があるという問題があるばかりか、散骨であるために、散骨した焼骨が野ざらし状態となってしまい、複数の故人の骨が同一の場所に混在することや、これら散骨した焼骨が野ざらし状態にあることを、日本人の古来の風習から、遺族が好ましく思わないことから、これら遺族の要望に答えることのできる墓園が切望されていた。
【０００５】
本発明は、このような問題点に着目してなされたもので、より自然な環境での散骨や、野ざらし状態や焼骨の混在等の問題を解消でき、且つ、これら散骨した箇所を表示物等に依ることなく特定することのできる散埋骨墓園を提供することを目的とする。
【課題を解決するための手段】
【０００６】
上記課題を解決するために、本発明の請求項１に記載の散埋骨墓園は、
平坦状に整地され、その領域内にほぼ所定間隔毎に埋葬孔が設けられる散埋骨領域と、
該散埋骨領域内に穿設される埋葬孔の位置を、散埋骨領域内に表示物を有することなく特定可能とするために、該散埋骨領域外に設けられた埋葬孔位置特定手段と、
を備えることを特徴としている。
この特徴によれば、散埋骨領域内に表示物を有していないので、より自然な環境での散埋骨を希望する利用者の要望に答えることが可能となるばかりか、埋葬孔位置特定手段を備えることで、これら散埋骨した埋葬孔の位置を表示物等に依ることなく特定することができ、誤って埋葬済みの埋葬孔に再度、異なる故人の焼骨を埋葬してしまう等の不都合を回避できるとともに、焼骨が埋葬孔に埋葬されるようになるので、複数の故人の焼骨が混在したり、焼骨が野ざらし状態となることもない。
【０００７】
本発明の請求項２に記載の散埋骨墓園は、請求項１に記載の散埋骨墓園であって、
前記埋葬孔位置特定手段が、前記散埋骨領域内にマトリクス状に穿設される埋葬孔の各列を視認可能とするように、該散埋骨領域の外周に、各埋葬孔の間隔毎に配設された可視光レーザー発振器により形成されていることを特徴としている。
この特徴によれば、埋葬する埋葬孔の位置を、これら埋葬孔の位置の特定に特別な装置等を携行することなく、可視光レーザー発振器からの可視レーザ光により簡便に埋葬孔の位置を特定できる。
【０００８】
本発明の請求項３に記載の散埋骨墓園は、請求項１または２に記載の散埋骨墓園であって、
前記可視光レーザー発振器が、前記散埋骨領域の外周に前記各埋葬孔の間隔毎に立設された支持柱に着脱可能とされていることを特徴としている。
この特徴によれば、埋葬孔を特定する際に、該特定したい埋葬孔に対応する支持柱に前記可視光レーザー発振器を装着すれば良く、必要とされる高価な前記可視光レーザー発振器の数を最小限に抑えることができ、散埋骨墓園の造成費用を軽減できる。
【０００９】
本発明の請求項４に記載の散埋骨墓園は、請求項３に記載の散埋骨墓園であって、
前記支持柱に、該支持柱に対応する埋葬孔の位置を特定可能な識別情報の識別情報表示部を有することを特徴としている。
この特徴によれば、該特定したい埋葬孔に対応する支持柱を簡便に特定できるようになる。
【００１０】
本発明の請求項５に記載の散埋骨墓園は、請求項３または４に記載の散埋骨墓園であって、
前記各支持柱の前記散埋骨領域を挟んだ反対側の散埋骨領域外周に、当該支持柱と対向して可視光レーザー発振器からの可視光レーザー光を該可視光レーザー発振器に向けて反射するように設置された反射部を有する反射柱を有することを特徴としている。
この特徴によれば、装着した可視光レーザー発振器から発振されて反射柱の反射部にて反射されてくる可視レーザー光に基づいて、可視レーザー光が正しい方向に向けて発振されているか否かを簡便に確認できる。
【００１１】
本発明の請求項６に記載の散埋骨墓園は、請求項１〜５のいずれかに記載の散埋骨墓園であって、
前記散埋骨領域の外周部の所定位置に、慰霊碑を有することを特徴としている。
この特徴によれば、前記埋葬孔に埋葬された故人の遺族は、該慰霊碑にお参りすることができる。
【発明を実施するための最良の形態】
【００１２】
本発明の実施例を以下に説明する。
【実施例】
【００１３】
本発明の実施例の散埋骨墓園を図面に基づいて説明すると、先ず図1は、本発明の実施形態における散埋骨墓園の全体像を示す図である。
【００１４】
本実施例の散埋骨墓園１は、図１に示すように、外周を塀に囲われており、その一部が園内への入園口２とされていて、該入園口２に沿うように、管理棟３が設けられている。尚、図１の８は、来園者の駐車スペースである。
【００１５】
この管理棟３から園内の内方に進んだ位置に、図１に示すように、長方形状の区画４が設けられ、該区画４の内部が散埋骨領域４’とされているとともに、該区画４の前記入園口２側の隅部には、来園した遺族がお参りするための慰霊碑５が建立されている。
【００１６】
本実施例の散埋骨領域４’の外周には、所定間隔、例えば約１メートル間隔にて後述するレーザー発振ユニット１０を載置するための支持柱６が、その下方が地中に埋まるとともに、図１に示すように、散埋骨領域４’を挟んで互いに対向するように対をなすことで、散埋骨領域４’を対向する支持柱６を結ぶ各線がほぼ均等、例えば１メートル四方のマトリクス状となるように立設されていて、このようにして立設される各支持柱６には、短辺方向をＸ方向として前記慰霊碑５側から順次、Ｘ１、Ｘ２、Ｘ３…の識別番号が付与されているとともに、長辺方向をＹ方向として前記慰霊碑５側から順次、Ｙ１、Ｙ２、Ｙ３…の識別番号が付与されていて、これらＸ側の識別番号とＹ側の識別番号との組み合わせにより、散埋骨領域４’内の座標（位置）を特定できるようになっており、これら各座標の位置に、故人の焼骨を埋葬する直径約１１センチ程度の埋葬孔７が穿設される。
【００１７】
そして、本実施例に用いた支持柱６は、図２に示すように板状の柱とされていて、その上面には、当該支持柱６が立設された位置に該当する前記Ｘ１、Ｘ２、Ｘ３…やＹ１、Ｙ２、Ｙ３…の識別番号が表示された識別番号プレート６１が貼設されているとともに、該支持柱６の散埋骨領域４’側の面には、可視レーザー光を反射するための反射部となる鏡面版６２が設けられていて、前記対向して対を為す支持柱６の鏡面版６２が、互いにレーザー光を他方の支持柱６に反射できるように、ほぼ平行となるように支持柱６が立設される。
【００１８】
また、本実施例の支持柱６の側面上部位置には、図２に示すように、レーザー発振ユニット１０を載置するための溝部６５を有する可動載置部６３が、地面と水平方向にスライド自在に設けられていて、調節ネジ６４を回動させることで、可動載置部６３が水平方向にスライドするようになっている。
【００１９】
この支持柱６に載置される本実施例のレーザー発振ユニット１０は、図２に示すように、長方形板状の本体１１を有するユニットとされていて、その長辺方向の本体１１の一方端には、当該レーザー発振ユニット１０を前記可動載置部６３の溝部６５に係止する円柱棒状の係止棒１２を有しているとともに、その上面には、水準器１７が設けられている。
【００２０】
また、レーザー発振ユニット１０の係止棒１２を有する側には、可視光レーザー発振器１６が内設されていて、図示しない動作スイッチを操作することで、該可視光レーザー発振器１６から発振された可視レーザー光が放射窓１５から放射される。
【００２１】
また、可視光レーザー発振器１６と反対側、つまりは、前記係止棒１２を有する本体１１の反対側には、前記可視光レーザー発振器１６を動作させるための重量の比較的大きな電池１４が内設されていて、レーザー発振ユニット１０の重心が、前記係止棒１２から離れた電池１４の近傍位置となるようになっていて、該レーザー発振ユニット１０の前記係止棒１２を前記可動載置部６３の溝部６５に係止したときに、レーザー発振ユニット１０が安定して垂下方向に位置して、前記放射窓１５が形成されている面が常に垂直方向になるように構成されている。
【００２２】
そして、該電池１４が内設されている部分を含む本体１１の可視レーザー光が放射窓１５側の面には、図２に示すように、対を為す支持柱６の前記鏡面版６２から反射されてきた可視レーザーを目視確認し易くするための白色顕光面１３が設けられていて、昼間の陽光の中でも、可視レーザー光を用意に目視確認できるようになっている。
【００２３】
尚、本実施例では、前記可視光レーザー発振器１６として、レーザーポインタ等として利用されている赤色の可視レーザー光を発振する高出力の半導体レーザーを、重量や出力や動作電力等の観点から好適に使用することができるが、本発明はこれに限定されるものではなく、これらの可視レーザー光の色や発振する波長等は適宜に選択すれば良い。
【００２４】
以下、本実施例の散埋骨霊園にて散埋骨する具体的な流れについて説明すると、前記管理棟３には、図示しない管理コンピュータが設けられていて、散埋骨領域４’内の各座標における散埋骨の有無や散埋骨年月日等が管理されており、該管理コンピュータにおいて未使用または所定期間が経過して再度散埋骨が可能となった座標位置から、具体的に散埋骨する座標位置、例えば、（Ｘ−５、Ｙ−３）を決める。
【００２５】
その後、園の係員は、２つのレーザー発振ユニット１０と図示しない孔明け機とを携行し、前記にて決めた座標に対応するＸ−５が表示された支持柱６と、Ｙ−３が表示された支持柱６とに、各支持柱６の前記可動載置部６３の溝部６５に係止棒１２を係止させて順次レーザー発振ユニット１０を載置する。
【００２６】
そして、前記水準器１７によりレーザー発振ユニット１０がきちんと垂直方向に安定して止まっていることを確認するとともに、該レーザー発振ユニット１０から発振（発射）
された可視レーザー光が、図３に示すように、対を為す支持柱６の前記鏡面版６２から反射されてきて前記白色顕光面１３に点状の光として見えているかを確認する。
【００２７】
この際、何らかの理由で、白色顕光面１３に可視レーザー光の発光点が見えない場合には、レーザー発振ユニット１０の向きが不適切であることが考えられるので、前記した調節ネジ６４を回動させて、レーザー発振ユニット１０の向きを調節して、白色顕光面１３のほぼ中央部に可視レーザー光の発光点が見えるように調節する。
【００２８】
このように調節した後、風が強い日等であれば、図示しない固定治具にて、レーザー発振ユニット１０が揺動しないように固定する。
【００２９】
そして、これらＸ−５の支持柱６からのレーザー光と、Ｙ−３の支持柱６からのレーザー光とが交差する地点を、前記した図示しない孔明け機に設けられている白色顕光面がその外周に形成された円筒状の部分に、双方のレーザー光の発光点が見える地点において埋葬孔７を穿設（形成）し、その埋葬孔７に、故人の焼骨を遺族が散埋骨し、当該埋葬孔７を埋めて埋葬する。
【００３０】
尚、埋葬孔７の穿設（形成）した後には、レーザー光の発振を中止するか或いはレーザー発振ユニット１０を支持柱６から取外すようにすることが、遺族の目に誤ってレーザー光が入射する危険性を排除できることから好ましい。
【００３１】
以上、前記本発明によれば、散埋骨領域４内に表示物を有していないので、より自然な環境での散埋骨を希望する利用者の要望に答えることが可能となるばかりか、埋葬孔位置特定手段となる支持柱６とレーザー発振ユニット１０とを備えることで、これら散埋骨した埋葬孔の位置を表示物等に依ることなく特定することができ、誤って埋葬済みの埋葬孔に再度、異なる故人の焼骨を埋葬してしまう等の不都合を回避できるとともに、焼骨が埋葬孔７に埋葬されるようになるので、複数の故人の焼骨が混在したり、焼骨が野ざらし状態となることもない。
【００３２】
また、前記本発明によれば、埋葬する埋葬孔の位置を、これら埋葬孔の位置の特定に散埋骨領域４’内に特別な装置等を携行することなく、レーザー発振ユニット１０からの可視レーザ光により簡便に埋葬孔７の位置を特定できる。
【００３３】
また、前記本発明によれば、レーザー発振ユニット１０が支持柱６に着脱自在とされていることにより、埋葬孔７を特定する際に、該特定したい埋葬孔７に対応する支持柱６にレーザー発振ユニット１０を装着（載置）すれば良く、必要とされる高価な前記可視光レーザー発振器１６の数を最小限に抑えることができるばかりか、これら可視光レーザー発振器１６の電力配線等の工事を実施する必要もなく、散埋骨墓園の造成費用を軽減できる。
【００３４】
また、前記本発明によれば、支持柱６に本発明における識別情報表示部となる識別番号プレート６１を有することで、該特定したい埋葬孔７に対応する支持柱６を簡便に特定できるようになる。
【００３５】
また、前記本発明によれば、各支持柱６を対を為して設け、支持柱６に鏡面版６２を設けることで、一方の支持柱６を他方の支持柱６の反射柱とすることで、装着（載置）したレーザー発振ユニット１０から発振（発射）されて、反射柱となる対を為す支持柱６の反射部となる鏡面版６２にて反射されてくる可視レーザー光に基づいて、可視レーザー光が正しい方向に向けて発振（発射）されているか否かを簡便に確認できる。
【００３６】
また、前記本発明によれば、散埋骨領域４’の外周の一部に慰霊碑５を備えることで、前記埋葬孔７に埋葬された故人の遺族は、該慰霊碑にお参りすることができる。
【００３７】
以上、本発明の実施例を図面により説明してきたが、具体的な構成はこれら実施例に限られるものではなく、本発明の要旨を逸脱しない範囲における変更や追加があっても本発明に含まれる。
【００３８】
例えば、前記実施例では、本発明における埋葬孔位置特定手段として、支持柱６とレーザー発振ユニット１０とを用いて、散埋骨領域４’の位置（座標）を特定できるようにしているが、本発明はこれに限定されるものではなく、例えば、これら埋葬孔位置特定手段として、散埋骨領域４’の外周に、所定周波数のスペクトラム拡散方式による電波の発信器を複数設置し、該複数の発信器の電波の拡散度等により、散埋骨領域４’の座標を特定できるようにしたり、更には、ＧＰＳの精度を向上させるための地上波発信局を散埋骨領域４’の外部に設置して、散埋骨領域４’の座標を１０センチ単位等にて特定できるようにしても良く、これらの無線を用いた場合には、例えば、散埋骨領域４’や山の斜面のように、曲率を有する平坦な土地である場合でも散埋骨領域４’の座標を特定できるようになる。
【００３９】
また、前記実施例では、散埋骨領域４’の埋葬孔７の配置を、マトリクス状としているが、本発明はこれに限定されるものではなく、例えば同心円状や放射状としても良く、これらの配置形態は適宜に選択すれば良い。
【００４０】
また、前記実施例では、支持柱６が反射柱を兼ねるようにしており、このようにすれば、いずれの側の支持柱６にもレーザー発振ユニット１０を載置できるようになることから、いずれか近い方の支持柱６にレーザー発振ユニット１０を載置でき、移動距離等を低減できることから好ましいが、本発明はこれに限定されるものではなく、これら対を為す支持柱６の一方にのみ鏡面版６２を設けて反射柱とし、他方の支持柱６は鏡面版６２を有しない支持柱６としても良い。
【図面の簡単な説明】
【００４１】
【図１】本発明の実施例における散埋骨墓園の全体像を示す図である。
【図２】本発明の実施例に用いた支持柱とレーザー発振ユニットとを示す外観斜視図である。
【図３】本発明の実施例に用いたレーザー発振ユニットから発振されたレーザー光の内容を示す図である。
【符号の説明】
【００４２】
１      散埋骨墓園
２      入園口
３      管理棟
４      区画
４’    散埋骨領域
５      慰霊碑
６      支持柱
７      埋葬孔
１０    レーザー発振ユニット
１１    本体
１２    係止棒
１３    白色顕光面
１４    電池
１５    放射窓
１６    レーザー発振器
１６    可視光レーザー発振器
１７    水準器
６１    識別番号プレート
６２    鏡面版
６３    可動載置部
６４    調節ネジ
６５    溝部
【図１】
2005320698.tif 000003
【図２】
2005320698.tif 000004
【図３】
2005320698.tif 000005